(57)【要約】      （修正有）【課題】噴射する液体の品質を好ましい状態に保つことができる噴射装置を提供する。【解決手段】押し圧体と、主桿と、連動桿と、ピストンブロックと、気体缶と、位置決めカバーと、弾性部材とを含む。押し圧体は上方に噴射ノズルと、下方部に中空の接続管とを有する。主桿は中空の管体で、上方部に接続部と、下方部に中空の管体の管状部と、接続部と管状部との間の環状部とを含む。連動桿は、主桿に穿設する柱状部と、外周面上の溝と、下方部の環状の当接部とを含む。ピストンブロックが連動桿の柱状部上段部に滑動自在に設けられ、気体缶はピストンブロックの外側に設けられる。位置決めカバーは、気体缶の上端に対応して設けられ、上方に貫通接続した孔を設けて主桿を穿設する。弾性部材は主桿の外側に設けられ、一端が環状部に当接し、他端が気体缶の弾性座に当接して設けられる。【選択図】図１
0003164753.tif 000002
【実用新案登録請求の範囲】
【請求項１】
押し圧体と、主桿と、連動桿と、ピストンブロックと、気体缶と、位置決めカバーと、弾性部材とを含んでなり、
該押し圧体は、上方に設けられた液体を噴射するために供する噴射ノズルと、下方部に設けられた中空の接続管とを含んでなり、
該主桿は中空の管体で、上方部に接続した接続部と、下方部に設けられた中空の管体の管状部と、接続部と管状部との間に設けられた環状部とを含んでなり、
該連動桿は、上方部に設けられ、主桿に穿設する柱状部と、外周面上に複数の軸方向に設けられた溝と、下方部に設けられた環状の当接部とを含んでなり、
ピストンブロックは、連動桿の柱状部上段部に滑動自在に設けられ、上方環状口と、下方環状口とを具えてなり、且つ下方環状口が往復運動で当接部と開閉する操作を実施し、
該気体缶は、ピストンブロックの外側に設けられ、上部が広く下部が狭い次第に縮小する貫通した管状体で、口径が比較的広い上端部と、口径が比較的狭い下端部と、上端部と下端部とが間接する内壁上に設けられたバネ座と、下端部の下方に設けられた口径が比較的狭い入り口と、該入り口とピストンとの間に形成された気体室とを含んでなり、該入り口には単一方向の弁が設けられ、
該位置決めカバーは、気体缶の上端に対応して設けられ、上方に貫通接続した孔を設けて主桿を穿設するために供し、下方に向けて延伸部を具えてなり、該延伸部は、主桿に対して必要な位置決めをすることができ、
該弾性部材は、主桿の外側に設けられ、一端が環状部に当接し、他端が気体缶の弾性座に当接して設けられ、主桿に上方への回復力を提供し、
上述の部材を組み合わせた後、固定部材を利用して組み合わせて液体の容器と接続すると、汲み取られた液体が噴射ノズルを通過して霧状に噴射されることを特徴とする噴射装置。
【請求項２】
前記気体缶が上端部の内側端縁部に嵌合部を設けてなり、位置決めカバーの延伸部の外側端縁部の嵌合部と互いに嵌合して気缶体と位置決めカバーとを組み合わせることを特徴とする請求項１に記載の噴射装置。
【請求項３】
前記下方環状口が、当接部との間を開くと、隙間が形成されることを特徴とする請求項１に記載の噴射装置。
【請求項４】
前記気缶体が、下端部下方に接続部を設けてなることを特徴とする請求項１に記載の噴射装置。
【請求項５】
前記接続部が、容器内部の薬液に向けて延伸する吸入管を設けてなることを特徴とする請求項４に記載の噴射装置。
【請求項６】
前記気体缶が下方端縁部上に孔を設けてなり、該孔が気缶体と外部の空気を流動し、液体噴射後の気体缶内の空気圧力を均衡にすることを特徴とする請求項１に記載の噴射装置。
【考案の詳細な説明】
【技術分野】
【０００１】
この考案は、噴射装置であって、特に容器内の液体などを噴射するために使用する噴射装置に関する。
【背景技術】
【０００２】
一般的に見られる噴射装置１００は、図５に開示するように、噴射ノズル１０１ａを具えた噴射ヘッド１０１と、該噴射ヘッド１０１下方に設けられた接続管１０２と、該接続管１０２に穿設された吸入管１０３と、該吸入管１０３の底端に接続して設けられた円錐部材１０４と、円錐部材１０４の底部に穿設された座管１０５と、該座管１０５の外周面の二つの側面に対向して設けられ、円錐部材１０４に被覆される孔１０５ａと、座管１０５の末端に設けられたバネ１０６と、該バネ１０６の下方に設けられたボール１０７と、前述の吸入管１０３、円錐部材１０４、座管１０５、バネ１０６、ボール１０７の順に上から下に内部に設けてなる設置管１０８と、該設置管１０８底端に接続する吸入管１０９を含んでなる。
【０００３】
上述のような構造からなり、使用する場合、先に噴射ヘッド１０１を押すと、容器内の空気が一瞬で噴射ヘッド１０１の噴射ノズル１０１ａから噴射される。
【０００４】
同時にサイフォンの効果で、噴射装置内の乳液、或いは香水などが空気とともに、軟性管１０９から設置管１０８内に進入する。
【０００５】
この時、バネ１０６の伸縮弾性力により、座管１０５の底部がボール１０７を押し圧し、ボール１０７が設置管１０８の開口を塞ぎ、座管１０５と円錐部材１０４との間に隙間が発生する。
【０００６】
設置管１０８内の乳液、或いは香水が隙間から座管１０５外周面の孔１０５ａから座管１０５内にスムーズに入る。
【０００７】
さらに吸入管１０３から乳液、或いは香水が空気とともに、噴射ヘッド１０１の噴射ノズル１０１ａから噴射される。
【０００８】
噴射ヘッド１０１を開くと、設置管１０８内に残留している乳液、或いは香水が容器内に戻る。
【０００９】
上述のように、従来の噴射装置１００は、乳液、或いは香水を噴射することができるが、通常、バネ１０６が円錐部材１０４と、設置管１０８との間に設けられる。
【００１０】
よって、バネと液体が接触し、バネが液体により腐食され、腐食したバネが液体を汚染するという問題が発生し、深刻な場合には人体を傷つける。
【考案の開示】
【考案が解決しようとする課題】
【００１１】
この考案は、噴射する液体の品質を好ましい状態に保つことができる噴射装置を提供することを課題とする。
【課題を解決するための手段】
【００１２】
そこで、本考案者は従来の技術に見られる欠点に鑑みて鋭意研究を重ねた結果、押し圧体と、主桿と、連動桿と、ピストンブロックと、気体缶と、位置決めカバーと、弾性部材とを含んでなり、
該押し圧体は、上方に設けられた液体を噴射するために供する噴射ノズルと、下方部に設けられた中空の接続管とを含んでなり、
該主桿は中空の管体で、上方部に接続した接続部と、下方部に設けられた中空の管体の管状部と、接続部と管状部との間に設けられた環状部とを含んでなり、
該連動桿は、上方部に設けられ、主桿に穿設する柱状部と、外周面上に複数の軸方向に設けられた溝と、下方部に設けられた環状の当接部とを含んでなり、
ピストンブロックは、連動桿の柱状部上段部に滑動自在に設けられ、上方環状口と、下方環状口とを具えてなり、且つ下方環状口が往復運動で当接部と開閉する操作を実施し、
該気体缶は、ピストンブロックの外側に設けられ、上部が広く下部が狭い次第に縮小する貫通した管状体で、口径が比較的広い上端部と、口径が比較的狭い下端部と、上端部と下端部とが間接する内壁上に設けられたバネ座と、下端部の下方に設けられた口径が比較的狭い入り口と、該入り口とピストンとの間に形成された気体室とを含んでなり、該入り口には単一方向の弁が設けられ、
該位置決めカバーは、気体缶の上端に対応して設けられ、上方に貫通接続した孔を設けて主桿を穿設するために供し、下方に向けて延伸部を具えてなり、該延伸部は、主桿に対して必要な位置決めをすることができ、
該弾性部材は、主桿の外側に設けられ、一端が環状部に当接し、他端が気体缶の弾性座に当接して設けられ、主桿に上方への回復力を提供し、
上述の部材を組み合わせた後、固定部材を利用して組み合わせて液体の容器と接続すると、汲み取られた液体が噴射ノズルを通過して霧状に噴射される噴射装置によって課題を解決できる点に着眼し、かかる知見に基づいて本考案を完成させた。
【００１３】
以下、この考案について具体的に説明する。
請求項１に記載する噴射装置は、押し圧体と、主桿と、連動桿と、ピストンブロックと、気体缶と、位置決めカバーと、弾性部材とを含んでなり、
該押し圧体は、上方に設けられた液体を噴射するために供する噴射ノズルと、下方部に設けられた中空の接続管とを含んでなり、
該主桿は中空の管体で、上方部に接続した接続部と、下方部に設けられた中空の管体の管状部と、接続部と管状部との間に設けられた環状部とを含んでなり、
該連動桿は、上方部に設けられ、主桿に穿設する柱状部と、外周面上に複数の軸方向に設けられた溝と、下方部に設けられた環状の当接部とを含んでなり、
ピストンブロックは、連動桿の柱状部上段部に滑動自在に設けられ、上方環状口と、下方環状口とを具えてなり、且つ下方環状口が往復運動で当接部と開閉する操作を実施し、
該気体缶は、ピストンブロックの外側に設けられ、上部が広く下部が狭い次第に縮小する貫通した管状体で、口径が比較的広い上端部と、口径が比較的狭い下端部と、上端部と下端部とが間接する内壁上に設けられたバネ座と、下端部の下方に設けられた口径が比較的狭い入り口と、該入り口とピストンとの間に形成された気体室とを含んでなり、該入り口には単一方向の弁が設けられ、
該位置決めカバーは、気体缶の上端に対応して設けられ、上方に貫通接続した孔を設けて主桿を穿設するために供し、下方に向けて延伸部を具えてなり、該延伸部は、主桿に対して必要な位置決めをすることができ、
該弾性部材は、主桿の外側に設けられ、一端が環状部に当接し、他端が気体缶の弾性座に当接して設けられ、主桿に上方への回復力を提供し、
上述の部材を組み合わせた後、固定部材を利用して組み合わせて液体の容器と接続すると、汲み取られた液体が噴射ノズルを通過して霧状に噴射される。
【００１４】
請求項２に記載の噴射装置は、請求項１における気体缶が上端部の内側端縁部に嵌合部を設けてなり、位置決めカバーの延伸部の外側端縁部の嵌合部と互いに嵌合して気缶体と位置決めカバーとを組み合わせる。
【００１５】
請求項３に記載の噴射装置は、請求項２における下方環状口が、当接部との間を開くと、隙間が形成される。
【００１６】
請求項４に記載の噴射装置は、請求項１における気缶体が、下端部下方に接続部を設けてなる。
【００１７】
請求項５に記載の噴射装置は、請求項４における接続部が、容器内部の薬液に向けて延伸する吸入管を設けてなる。
【００１８】
請求項６に記載の噴射装置は、請求項１における気体缶が下方端縁部上に孔を設けてなり、該孔が気缶体と外部の空気を流動し、液体噴射後の気体缶内の空気圧力を均衡にする。
【考案の効果】
【００１９】
この考案の噴射装置は、容器内の液体の品質を維持するため安全で実用的であるという効果を有する。
【考案を実施するための最良の形態】
【００２０】
この考案は、噴射する液体の品質を好ましい状態に保つことができる噴射装置であって、押し圧体と、主桿と、連動桿と、ピストンブロックと、気体缶と、位置決めカバーと、弾性部材とを含んでなり、
該押し圧体は、上方に設けられた液体を噴射するために供する噴射ノズルと、下方部に設けられた中空の接続管とを含んでなり、
該主桿は中空の管体で、上方部に接続した接続部と、下方部に設けられた中空の管体の管状部と、接続部と管状部との間に設けられた環状部とを含んでなり、
該連動桿は、上方部に設けられ、主桿に穿設する柱状部と、外周面上に複数の軸方向に設けられた溝と、下方部に設けられた環状の当接部とを含んでなり、
ピストンブロックは、連動桿の柱状部上段部に滑動自在に設けられ、上方環状口と、下方環状口とを具えてなり、且つ下方環状口が往復運動で当接部と開閉する操作を実施し、
該気体缶は、ピストンブロックの外側に設けられ、上部が広く下部が狭い次第に縮小する貫通した管状体で、口径が比較的広い上端部と、口径が比較的狭い下端部と、上端部と下端部とが間接する内壁上に設けられたバネ座と、下端部の下方に設けられた口径が比較的狭い入り口と、該入り口とピストンとの間に形成された気体室とを含んでなり、該入り口には単一方向の弁が設けられ、
該位置決めカバーは、気体缶の上端に対応して設けられ、上方に貫通接続した孔を設けて主桿を穿設するために供し、下方に向けて延伸部を具えてなり、該延伸部は、主桿に対して必要な位置決めをすることができ、
該弾性部材は、主桿の外側に設けられ、一端が環状部に当接し、他端が気体缶の弾性座に当接して設けられ、主桿に上方への回復力を提供し、
上述の部材を組み合わせた後、固定部材を利用して組み合わせて液体の容器と接続すると、汲み取られた液体が噴射ノズルを通過して霧状に噴射される噴射装置の構造と特徴を詳述するために具体的な実施例を挙げ、図示を参照にして以下に説明する。
【実施例】
【００２１】
図１、図２はこの考案の噴射装置１０を示したものである。
【００２２】
図面によれば、この考案の噴射装置１０は、容器内部の液体を汲み取り、外部に噴射する。
【００２３】
該噴射装置１０は、押し圧体１と、主桿２と、連動桿３と、ピストンブロック４と、気体缶５と、位置決めカバー６と、弾性部材７とを含んでなる。
【００２４】
該押し圧体１は、上方に設けられた液体を噴射するために供する噴射ノズル１１と、下方部に設けられた中空の接続管１２とを含んでなる。
【００２５】
該主桿２は中空の管体で、上方部に接続した接続部２１と、下方部に設けられた中空の管体の管状部２２と、接続部２１と管状部２２との間に設けられた環状部２３とを含んでなる。
【００２６】
該連動桿３は、上方部に設けられ、主桿２に穿設する柱状部３１と、外周面上に設けられた複数の軸方向に設けられた溝３１１と、下方部に設けられた環状の当接部３２とを含んでなる。
【００２７】
ピストンブロック４は、連動桿３の柱状部３１上段部に滑動自在に設けられ、上方環状口４１と、下方環状口４２とを具えてなり、且つ下方環状口４２が往復運動で当接部３２と開閉する操作を実施する。
【００２８】
気体缶５は、ピストンブロック４の外側に設けられ、上部が広く下部が狭い次第に縮小する貫通した管状体で、口径が比較的広い上端部５１と、口径が比較的狭い下端部５２と、上端部５１と下端部５２とが間接する内壁上に設けられたバネ座５３と、下端部５２の下方に設けられた口径が比較的狭い入り口５２１と、該入り口５２１とピストンブロック４との間に形成された気体室５２２とを含んでなる。
【００２９】
該入り口５２１は、単一方向の弁５４を設けてなる。この考案の実施形態では該弁５４に従来のボールを使用する。
【００３０】
また、入り口５２１には下方に接続部５２３を設けてなり、容器２０の吸入管５５に向けて延伸して連接する。
【００３１】
位置決めカバー６は、気体缶５の上端に対応して設けられ、上方に貫通接続した孔６１を設けて主桿２を穿設するために供し、下方に向けて延伸部６２を具えてなる。
【００３２】
該延伸部６２は、主桿２に対して必要な位置決めをすることができる。
【００３３】
該弾性部材７は、主桿２の外側に設けられ、一端が環状部２３に当接し、他端が気体缶５のバネ座５３に当接して設けられ、主桿２に上方への回復力を提供する。
【００３４】
上述の押し圧体１と、主桿２と、連動桿３と、ピストンブロック４と、気体缶５と、位置決めカバー６と、弾性部材７とを組み合わせた後、固定部材９を利用して容器２０を接続して設け、液体が噴射ノズル１１を解して外部に霧状に噴射される。
【００３５】
上述のように、ピストンブロック４は、連動桿３上に滑動自在に接続する。両者は空気の圧力に合わせて開く、閉じるの状態を形成する。
【００３６】
開く場合、該下方環状口４２と、当接部３２との間に隙間８が形成され、容器２０内の液体が該隙間８から溝３１１を介して主桿２内に流入し、押し圧体１の噴射ノズル１１から霧状に噴射される。
【００３７】
気体缶５の下端部５２と、ピストンブロック４とが接続する部分には気孔５２４が形成される。
【００３８】
該気孔５２４は、ピストンブロック４が下方向に移動して気体缶５底部に達すると、気体缶５と外部の空気が流通して液体噴射後の気体缶５内の空気圧力を均衡にする。
【００３９】
気体缶５の上端部５１の内側端縁部には嵌合部５１１が設けられ、位置決めカバー６の延伸部６２の外側端縁部と嵌合部６２１とが互いに嵌設して気体缶５と位置決めカバー６とが接合される。
【００４０】
図３に開示するように、この考案の噴射装置の押し圧体１は下方に圧力をかけると、主桿２が下方向の圧力を受けて、連動桿３とピストンブロック４とが次第に下降する。
【００４１】
ピストンブロック４が気体缶５の気体室５２２内の空間を次第に圧縮して液体の圧力が大きくなり、気体缶５の入り口５２１が下方に移動して閉じた状態になり、気体室５２２に密閉された状態が形成される。
【００４２】
もともと密閉されていたピストンブロック４の下方環状口４２と当接部３２との間が開かれ、出口となる隙間８が形成される。
【００４３】
液体が瞬間的な高圧で溝３１１と主桿２内を介して噴射ノズル１１から外部に霧状に噴射される。
【００４４】
図４に開示されるように、押し圧して押し圧体１を開放する場合、弾性部材７の回復力で主桿２と押し圧体１とが上方に弾性で回復する。
【００４５】
連動桿３が上方に連動されて当接部３２と下方環状口４２との間の隙間８が次第に回復して閉じた状態になる。
【００４６】
弾性部材７の力で引き続き上昇し、ピストンブロック４が連動して引き続き上方に運動して気体室５２２の体積が増大して真空状態が形成される。
【００４７】
真空の吸引力が弁５４の入り口５２１を開き、容器２０内の液体が圧力と吸引力で瞬間的に上方に移動する。
【００４８】
よって、液体が自然に吸入管５５から入り口５２１を介して気体室５２２内に侵入し、次の押し圧する操作を待機した状態になる。
【００４９】
主桿２が位置を回復すると、位置決めカバー６の延伸部６２と主桿の環状部２３が必要なだけ当接して位置決めされる。
【００５０】
このため、位置決めカバー６の延伸部６２の長さを調節して主桿２の運動距離の長さを制御し、噴射する液体の量を制御することができる。
【００５１】
この考案の噴射装置は、弾性部材７が主桿２の外部に設けられているため、液体を噴出する過程において、弾性部材７に接触することがない。
【００５２】
よって、液体が変質することを防ぐことができる。
【００５３】
位置決めカバー６の延伸部６２の長さを調整して主桿２の運動距離の長さを制御して、噴射する液体の量を制御することができる。
【００５４】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５５】
【図１】この考案の噴射装置を示した分解図である。
【図２】この考案の噴射装置を示した断面図である。
【図３】この考案の噴射装置の実施形態を示した説明図である。
【図４】この考案の噴射装置の実施形態を示した説明図である。
【図５】従来の噴射装置を示した分解図である。
【符号の説明】
【００５６】
１         押し圧体
１０       噴射装置
１００     噴射装置
１０１     噴射ヘッド
１０１ａ   噴射ノズル
１０２     接続くだ
１０３     吸入くだ
１０４     円錐部材
１０５     座管
１０５ａ   孔
１０６     バネ
１０７     ボール
１０８     設置管
１０９     吸入管
１１       噴射ノズル
１２       接続管
２         主桿
２０       容器
２１       接続部
２２       管状部
２３       環状部
３         連動桿
３１       柱状部
３１１     溝
３２       当接部
４         ピストンブロック
４１       上方環状口
４２       下方環状口
５         気体缶
５１       上端部
５１１     嵌合部
５２       下端部
５２１     入り口
５２２     気体室
５２３     接続部
５２４     気孔
５３       バネ座
５４        弁
５５       吸入管
６         位置決めカバー
６１       孔
６２       延伸部
６２１     嵌合部
７         弾性部材
８         隙間
９         固定部材
【図１】
0003164753.tif 000003
【図２】
0003164753.tif 000004
【図３】
0003164753.tif 000005
【図４】
0003164753.tif 000006
【図５】
0003164753.tif 000007